(57)【要約】  【課題】  不自由な手指でもバルーンを拡張でき、バルーンカテーテルの装着を容易にする。  【解決手段】  バルーン拡張用のリザーバ５７、可撓管５８及び可撓管５８上のクランプ５９からなるリザーバセット５６を操作する操作具を、ベース部材１とレバー部材２とで構成する。ベース部材１は、リザーバ５７を収容する第１収容部１５と、クランプ５９を収容する第２収容部１６とを備える。レバー部材２は、リザーバセット５６をセットする上方の第１位置から下方の第２位置、第３位置へと枢軸１７により相対回動自在に係合する。レバー部材２の第１押圧部２５は、レバー部材２が第１位置から第２位置への回転時に、第１収容部２５に収容したリザーバ５７を圧縮してバルーンに流体を送出させる。第２押圧部２６は、レバー部材２が第２位置から第３位置へ回動時に、ベース部材１の第２収容部２６に収容したクランプ５９を遮断位置へ変形させる。【選択図】  図１０
2019047858.tif 000002
【特許請求の範囲】
【請求項１】
バルーンカテーテルのバルーンを拡張させるための流体を収容する伸縮自在のリザーバと、基端側が当該リザーバに接続され先端側がバルーンカテーテルの接続部に接続される可撓管と、当該可撓管の途上に係止され可撓管の軸線直交方向の押圧により変形して可撓管の流路を遮断するために保持されるクランプとを具備するバルーン拡張用のリザーバセットの操作具であって、
前記リザーバを位置決めして収容する第１収容部と前記クランプを位置決めして収容する第２収容部とを備えたベース部材と、
前記ベース部材に対して前記リザーバ及び前記クランプを収容可能に開放する上方の第１位置から下方の第２位置、さらに下方の第３位置に至る間を相対回動自在に枢軸により係合されるレバー部材とを具備し、
前記レバー部材は、前記枢軸を中心とする前記第１位置から前記第２位置への押し下げ回転時に前記第１収容部に収容された前記リザーバを圧縮して前記バルーンに流体を送出させる第１押圧部と、前記第２位置から前記第３位置への押し下げ回転時に前記第２収容部に収容された前記クランプを遮断位置へ変形させる第２の押圧部とを具備することを特徴とするバルーン拡張用リザーバセットの操作具。
【発明の詳細な説明】
【技術分野】
【０００１】
本発明は、導尿カテーテル等の生体留置型のバルーンカテーテルに用いられる、バルーン拡張用のリザーバセットを操作するための操作具に関する。
【背景技術】
【０００２】
導尿用のバルーンカテーテルは、例えば特許文献１に見られるように公知である。このカテーテルは、尿道を通して膀胱まで達するシャフトと、このシャフトの先端部に設けられるバルーンと、シャフトの基端側に取り付けられるファネルとを具備する。ファネルには、採尿バッグが接続されると共に、分岐管を介してバルーン拡張用のリザーバセットが接続される。シャフトの最先端部には膀胱に貯留された尿を導出するための開口が形成される。この開口が、シャフト内の第１通路を介してファネルまで連通している。一方、バルーン拡張用の流体を収容するリザーバとバルーンとは、可撓管、ファネルの分岐管を介して、シャフト内の第２通路で連通している。ファネルの分岐管とリザーバとの間を接続する可撓管の延長途上には、クランプが係合している。このクランプは、バルーンとリザーバとの間の連通及び遮断を制御する役割を有している。
【先行技術文献】
【特許文献】
【０００３】
【特許文献１】特開２００７−１６７４８３号公報
【発明の概要】
【発明が解決しようとする課題】
【０００４】
上記従来のバルーンカテーテルにおいては、リザーバを圧縮して拡張用流体をバルーンへ圧送する操作と、その後、クランプを操作して可撓管を閉塞する操作とを必要とするが、この操作は、手指の不自由な使用者にとっては、必ずしも容易ではない。したがって、本発明は、リザーバの圧縮による拡張用流体の送出操作と、その後のクランプによる可撓管の閉塞操作を、順を追って、容易に行うことができる操作具を提供することを目的とする。
【課題を解決するための手段】
【０００５】
以下、添付図面の符号を参照して説明するが、本発明はこれに限定されるものではない。
上記課題を解決するための、本発明の操作具は、バルーンカテーテルにおけるリザーバ５７、可撓管５８及び可撓管５８上のクランプ５９からなるリザーバセット５６を操作するものであって、ベース部材１とレバー部材２とを具備する。ベース部材１は、リザーバ５７を位置決めして収容する第１収容部１５と、クランプ５９を位置決めして収容する第２収容部１６とを備える。レバー部材２は、第１及び第２の押圧部２５，２６を具備し、ベース部材１に対して、リザーバセット５６を収容可能に開放する上方の第１位置から下方の第２位置、さらに下方の第３位置に至る間で枢軸１７により相対回動自在に係合される。レバー部材の第１押圧部２５は、第１位置から第２位置への押し下げ回転時に、ベース部材１の第１収容部に収容されたリザーバ５７を圧縮してバルーン５３に流体を送出させる。第２押圧部２６は、レバー部材２が第２位置から第３位置へ押し下げ回転時に、ベース部材１の第２収容部２６に収容されたクランプ５９を遮断位置へ変形させる。
【発明の効果】
【０００６】
本発明のリザーバセットの操作具によれば、ベース部材の収容部内にリザーバセットを収容し、枢軸を中心にレバー部材を第２位置へ回転させることにより、リザーバの圧縮操作が完了し、そこから第３位置へ回転させることで、クランプの係合操作が完了するので、不自由な手指でも介助を要することなく、バルーンカテーテルの生体内への留置操作を容易に行うことができる。
【図面の簡単な説明】
【０００７】
【図１】本発明のリザーバセットの操作具の分解斜視図である。
【図２】べース部材の平面図である。
【図３】べース部材の正面図である。
【図４】図２のＩＶ−ＩＶ線断面図である。
【図５】図２のＶ−Ｖ線断面図である。
【図６】図２のべース部材の側面図である。
【図７】レバー部材の底面図である。
【図８】図７のＶＩＩＩ−ＶＩＩＩ線断面図である。
【図９】図7のレバー部材の側面図である。
【図１０】図１の操作具の操作過程を示す縦断面図である。
【図１１】図１の操作具によってバルーンを拡張して保持するバルーンカテーテルの構成図である。
【発明を実施するための形態】
【０００８】
まず、本発明の操作具１を用いて操作するバルーンカテーテルの一例である導尿用のバルーンカテーテルを図１１について説明する。このカテーテル５１は、尿道を通して膀胱まで達するシャフト５２と、このシャフト５２の先端部に設けられるバルーン５３と、シャフト５２の基端側に取り付けられるファネル５４とを具備する。ファネル５４には、採尿バッグ５５が接続されると共に、分岐管５４ａを介してバルーン拡張用のリザーバセット５６が接続される。
【０００９】
リザーバセット５６は、バルーン拡張用の流体を収容するリザーバ５７と、分岐管５４ａとリザーバ５７とを接続する可撓管５８と、可撓管５８の延長途上に係合するクランプ５９とを具備する。
【００１０】
シャフト５２の最先端部には膀胱に貯留された尿を導出するための開口６０が形成される。この開口６０が、シャフト５２内の第１通路を介してファネル５４まで連通している。
【００１１】
一方、バルーン拡張用の流体を収容するリザーバ５７とバルーン５３とは、シャフト５２内の第２通路を介して連通している。リザーバ５７を圧縮して流体をバルーン５３へ送ると、バルーン５３が仮想線で示すように膀胱内で拡張する。
【００１２】
クランプ５９は、バルーン５３とリザーバ５７との間の連通及び遮断を制御する役割を有しており、バルーン５３の拡張後、可撓管５８を閉じてバルーン５３の拡張を維持する。クランプ５９は、弾性合成樹脂製で、基端側で湾曲して連続する対向一対の脚部５９ａと、脚部５９ａの内側対向位置に形成される締め付け突起５９ｂと、一方の脚部５９ａから内側へ湾曲して延出し、先端に係合爪５９ｄを有する係合片５９ｃとを具備する。クランプ５９の基端側の湾曲部と係合片５９ｃの途上を可撓管５８が貫通している。一対の脚部５９ａ間を閉じるように圧縮すると、締め付け突起５９ｂが接近して可撓管５８を閉塞すると同時に、係合爪５９ｄが他方の脚部５９ａの先端に係合して閉塞状態を維持する。
【００１３】
本発明は、上記のようなバルーンカテーテル５１のバルーン５３を制御するリザーバセット５６を操作するための操作具に係るものである。
図１において、本発明の本実施形態に係るバルーン拡張用リザーバセットの操作具は、互いに上下に嵌合するいずれも合成樹脂製のベース部材１とレバー部材２とを具備する。
【００１４】
図１ないし図６に示すように、ベース部材１は、前壁１１、後壁１２、両側壁１３及び底面１４を有する上方に開放した概略直方体の箱型であり、後方に上方に開放した第１収容凹部１５、前方に上方に開放した第２収容凹部１６を具備する。第１収容凹部１５と第２収容凹部１６とはつながっており、第１収容凹部１５内にはリザーバ５７が収容され、第２収容凹部１６にはクランプ５９が収容される。第２収容凹部１６は、可撓管５８を通すための縦方向の切欠１１ａにより前方へ開放している。第１収容凹部１５は、リザーバ５７を位置決めして収容する形状である。第２収容凹部４は、係合片５９ｃを上側に向け、脚部５９ａ間を上下に垂直に圧縮できるように、クランプ５９を位置決めして収容する形状である。
【００１５】
図１，図７ないし図９に示すように、ベース部材１の両側壁１３の後方上隅部のねじ孔１３ａには、側方へそれぞれ突出する一対の枢軸１７が螺着される。ベース部材１の後壁１２には、後方に開放する切欠１２ａが形成されている。
【００１６】
レバー部材２は、前壁２１、後板２２、両側板２３及び天壁２４を備え、ベース部材１に上から嵌合する下方に開放した概略直方体箱状である。前壁２１及び板２２には、ベース部材１の前壁１１及び後壁１２との干渉を避けるための切欠２１ａ，２２ａが形成されている。天壁２４の下面には、第１収容凹部１５に対応する位置に、第１押圧凸部２５が、第２収容凹部１６に対応する位置に、第２押圧凸部２６が形成される。第１押圧凸部２５は、ベース部材１にレバー部材２を嵌合させて押下することにより、第１収容凹部１５内のリザーバ５７を圧縮し、所定量の拡張用流体をバルーン５３へ送出し、第２押圧凸部２６は、クランプ５９の脚部５９ａ間を閉じるように圧縮する。
【００１７】
レバー部材２の両側壁２３には、枢軸１７を貫通させ抜け止めする軸受け孔２７が形成されている。軸受け孔２７に挿通された枢軸１７は、これを中心にレバー部材２をベース部材１に対して上下方向に回動自在に支持する。第１押圧凸部２５は、レバー部材２のベース部材１に対する回動時に、ベース部材１の後壁１２の切欠１２ａを通して干渉を避ける。
【００１８】
この実施形態の操作具の使用方法を説明する。バルーンカテーテル５１のシャフト５２を体内へ挿入してから、ベース部材１とレバー部材２の間を開いた第１位置で、リザーバセット５６のリザーバ５７をベース部材１の第１収容凹部１５へ、クランプ５９を第２収容凹部へ１６それぞれ格納する。そして、枢軸１７を中心にレバー部材２をベース部材１に嵌合させる方向に回転させると、図１０（Ａ）に示すように、レバー部材２の第１押圧凸部２５がリザーバ５７に押し当たる。
【００１９】
この状態からレバー部材２をさらに押下回転させた第２位置までの間に、図１０（Ｂ）に示すように、第１押圧凸部２５でリザーバ５７が圧縮され、収容された流体が所定量バルーン５３へ送られ、バルーン５３が体内で拡張する。
【００２０】
この状態から、レバー部材２をさらに押下げ回転回転させると、図１０（Ｃ）に示すように、第３位置においてクランプ５９の脚部５９ａ間が閉じて、締め付け突起５９ｂ，５９ｂ間で可撓管５８を圧縮され、その流路が閉じ、また係合爪５９ｄに脚部５９ａの先端部が係合して、閉路状態が維持される。
【符号の説明】
【００２１】
１    ベース部材
１１    前壁
１１ａ  切欠
１２    後壁
１２ａ  切欠
１３    側壁
１４    底面
１５    第１収容凹部
１６    第２収容凹部
１７    枢軸
１８    軸受け孔
２    レバー部材
２１    前壁
２１ａ  切欠
２２    後板
２２ａ  切欠
２３    側板
２４    天壁
２５    第１押圧凸部
２６    第２押圧凸部
５１    カテーテル
５２    シャフト
５３    バルーン
５４    ファネル
５４ａ  分岐管
５５    採尿バッグ
５６    リザーバセット
５７    リザーバ
５８    可撓管
５９    クランプ
５９ａ  脚部
５９ｂ  締め付け突起
５９ｃ  係合片
５９ｄ  係合爪
６０    開口
【図１】
2019047858.tif 000003
【図２】
2019047858.tif 000004
【図３】
2019047858.tif 000005
【図４】
2019047858.tif 000006
【図５】
2019047858.tif 000007
【図６】
2019047858.tif 000008
【図７】
2019047858.tif 000009
【図８】
2019047858.tif 000010
【図９】
2019047858.tif 000011
【図１０】
2019047858.tif 000012
【図１１】
2019047858.tif 000013